(57)【特許請求の範囲】
【請求項１】
制御ボディに弁体を取り付けるための弁体の取付構造であって、
前記弁体は、柱状の本体部と、該本体部と同軸状に連なる軸状の弁部とからなり、
前記制御ボディには、前記弁体の前記弁部を挿入させるための挿入孔が形成されており、
前記制御ボディに取り付けられて該制御ボディ内の油路を区画するセパレートプレートと、
前記セパレートプレートの一部で構成されて、前記本体部の外周面に対向する位置で当該外周面に沿って突出する突出部と、
前記本体部の外周面に設けた突起状のコネクタハウジングと、
前記コネクタハウジングの外面に形成した爪部と前記突出部に設けた溝部とからなる係合機構と、を備え、
前記係合機構の前記爪部が前記溝部に弾性的に係合することで、前記制御ボディに対する前記弁体の固定がなされる
ことを特徴とする弁体の取付構造。
【請求項２】
前記セパレートプレートは、導電性材料で構成されたアースプレートであり、
前記コネクタハウジングの外部に設けたアース用接続端子を備え、
前記爪部が前記溝部に係合すると、前記アース用接続端子が前記アースプレートに接触して前記弁体のアース接続がなされる
ことを特徴とする請求項１に記載の弁体の取付構造。
【請求項３】
前記アースプレートの前記アース用接続端子が接触する個所には、所定間隔で対向する一対の面が設けられており、
前記アース用接続端子は、前記対向する一対の面の間に挟み込まれた状態で前記アースプレートに接触する
ことを特徴とする請求項２に記載の弁体の取付構造。
【請求項４】
前記爪部は、可撓性を有する支持片で支持されており、該支持片を押圧して撓ませることで、前記爪部を前記溝部に対する係合位置から退避させることが可能である
ことを特徴とする請求項１乃至３のいずれか１項に記載の弁体の取付構造。
【発明の詳細な説明】
【技術分野】
【０００１】
本発明は、自動変速機が備える変速制御用の制御ボディに対してソレノイド弁などの弁体を取り付ける弁体の取付構造に関する。
【背景技術】
【０００２】
自動変速機には、変速制御用のライン圧や変速時のクラッチ圧を制御するため、ソレノイド弁（弁体）が使用されている。ソレノイド弁は、自動変速機が備える油圧制御回路を内蔵した制御ボディに取り付けられている。従来、ソレノイド弁を制御ボディに取り付ける方式として、特許文献１に示すように、櫛歯型（いわゆるギロチン状）の固定片（ブラケット）でソレノイド弁を固定する方式と、特許文献２に示すように、ソレノイド弁に差し込んだピンで固定する方式とがある。櫛歯型の固定片で固定する方式は、ソレノイド弁の外周の三面に設けたスリット状の切込溝に対して、固定片に形成したコ字状の凹部を嵌め込むようになっている。一方、ピンで固定する方式は、ソレノイド弁の外周の一面に設けた直線状の挿入溝と制御ボディの挿入孔との位置を合わせ、挿入溝に差し込んだピンをボディの挿入孔に固定するようになっている。
【先行技術文献】
【特許文献】
【０００３】
【特許文献１】特開２００２−１５６０６３号公報
【特許文献２】特開２００７−１８７２９２号公報
【発明の開示】
【発明が解決しようとする課題】
【０００４】
特許文献１に示す櫛歯型の固定片で固定する方式では、固定片を設置する際、ソレノイド弁の切込溝と固定片の凹部との位置合わせ（向き合わせ）を行う必要がある。この位置合わせは、制御ボディの装着穴に挿入したソレノイド弁を回転させて行う。そしてこの場合、一の固定片で複数のソレノイド弁を取り付ける際、全てのソレノイド弁の位置合わせを一度に行う必要がある。そのため、ソレノイド弁の取り付けに手間と時間がかかる要因となる。特に、一の固定片で取り付けるソレノイド弁の数が増えると、上記の位置合わせの作業が煩雑になり、ソレノイド弁の組み付けに要する手間と時間が大幅に増加する。
【０００５】
また、上記の櫛歯状の固定片は、プレス加工で製造された部品であるため、ボルトのフランジ面を含めて一定の板厚になっている。そのため、本来必要でない板厚を有している箇所もある。また、強度保持のための形状や、ボルトで留めるためのフランジ面など、櫛歯状の固定片で固定する箇所は、複雑な形状になっている。これらにより、制御ボディの重量増や構造の複雑化につながる懸念がある。
【０００６】
また、上記の櫛歯状の固定片は、ソレノイド弁に被せて取り付け、上面側からボルトを締結して固定する。そのため、ソレノイド弁及び固定片よりも高い位置にボルトの頭部が突出した状態となる。これにより、制御ボディの厚さ寸法が大きくなるという問題がある。
【０００７】
一方、ソレノイド弁をピンで固定する方式では、複数のソレノイド弁を取り付ける場合、各ソレノイド弁に対応するピンと、ピン抜止用のステイと、該ステイを固定するボルトが必要となる。そのため、取付構造に必要な部品点数が多くなり、構造が煩雑になる。また、各ソレノイド弁に対して、ピンを差し込む作業と、ピンの抜け止めステイをセットする作業と、ボルト締めを行う作業とが必要であるため、ソレノイド弁の取り付けに必要な工数が多い。また、ボルトの座面加工や、ボルト穴（タップ）の加工、ピン穴の加工など、必要な部品加工が多い。
【０００８】
また、上記の櫛歯型の固定片で固定する方式と、ピンで固定する方式とに共通の問題として、部品の固定・抜止専用のボルトが必要となり、部品点数が多くなるという点がある。また、ボルト穴加工、ボス部の加工など、部品加工の工程が多くなるという問題もある。
【０００９】
本発明は上述の点に鑑みてなされたものであり、その目的は、部品点数を少なく抑えた簡単な構造で、取付作業の効率化を図ることができると共に、装置の軽量化及びコンパクト化を図ることができる弁体の取付構造を提供することにある。
【課題を解決するための手段】
【００１０】
上記課題を解決するための本発明は、制御ボディ（１０）に弁体（３０）を取り付ける弁体の取付構造であって、弁体（３０）は、柱状の本体部（３０ｂ）と、該本体部（３０ｂ）と同軸状に連なる軸状の弁部（３０ａ）とからなり、制御ボディ（１０）には、弁体（３０）の弁部（３０ａ）を挿入させるための挿入孔（１２）が形成されており、本体部（３０ｂ）の外周面（３１）に設けた突起状のコネクタハウジング（３２）と、コネクタハウジング（３２）の外面（３２ａ）に形成した爪部（３５）と制御ボディ（１０）に設けた溝部（２５）とからなる係合機構（５０）と、を備え、係合機構（５０）の爪部（３５）が溝部（２５）に弾性的に係合することで、制御ボディ（１０）に対する弁体（３０）の固定がなされることを特徴とする。
【００１１】
本発明にかかる弁体の取付構造によれば、係合機構の爪部が溝部に弾性的に係合することで、制御ボディに対する弁体の固定がなされる。これにより、制御ボディに対する弁体の固定を簡単な作業で行えるようになる。したがって、弁体の取付作業の効率化を図ることができる。また、弁体に設けた爪部と制御ボディに設けた溝部とが弾性的に係合するように構成したので、弁体の固定に工具を必要とせず、制御ボディに対する弁体の取り付けを手作業で行うことが可能となる。
【００１２】
また、本発明にかかる取付構造の係合機構は、弁体に設けた爪部と制御ボディに設けた溝部とが弾性係合するように構成したことで、部品点数を少なく抑えた簡単な構造を実現している。さらに、弁体に設けた爪部は、弁体に従来から備わっている配線接続用のコネクタハウジングに形成しているので、特許文献１、２に開示された従来構造に必要なステイやボルトなど取付構造に用いる別部品が不要となる。したがって、部品点数を抑えた簡単な構成とすることができる。
【００１３】
また、上記の弁体の取付構造では、制御ボディ（１０）には、本体部（３０ｂ）の外周面（３１）に対向する位置で当該外周面（３１）に沿って突出する突出部（１５）が設けられており、溝部（２５）は、この突出部（１５）に設けられているとよい。この場合、突出部（１５）は、制御ボディ（１０）内の油路を区画するセパレートプレート（１４）など、制御ボディ（１０）に取り付けたプレート（１４，１６，１８）の一部で構成してもよい。これによれば、制御ボディに取り付けたプレートを用いて上記の係合機構を構成できる。したがって、取付構造の部品点数をより少なく抑えることができ、構成の簡素化を図ることができる。また、制御ボディとは別部品のプレートに係合機構の溝部を形成することで、溝部の形状や配置の自由度を高めることができる。
【００１４】
また、上記の弁体の取付構造では、プレート（１４，１６，１８）は、導電性材料で形成されたアースプレート（１８）であり、コネクタハウジング（３２）の外部に設けたアース用接続端子（３６）を備え、爪部（３５）が溝部（２５）に係合する際、アース用接続端子（３６）がアースプレート（１８）に接触して弁体（３０）のアース接続がなされるようにしてよい。この構成によれば、爪部を溝部に係合させて弁体を固定するだけで、弁体のアース接続を行うことができる。したがって、従来、弁体用に設けていたアース線が不要となるので、弁体への配線作業の作業性が向上する。また、アース線が不要になることでコスト削減を図ることができる。
【００１５】
さらにこの場合、アースプレート（１８）のアース用接続端子（３６）が接触する個所には、所定間隔で対向する一対の面（２３ａ，２３ｂ）が設けられており、アース用接続端子（３６）は、対向する一対の面（２３ａ，２３ｂ）の間に挟み込まれた状態でアースプレート（１８）に接触するとよい。これによれば、アースプレートに対してアース用接続端子を確実に接触させることができるので、弁体のアース接続を確実にすることができる。
【００１６】
また、上記の弁体の取付構造では、爪部（３５）は、可撓性を有する支持片（２１）で支持されており、該支持片（２１）を押圧して撓ませることで、爪部（３５）を溝部（２５）に対する係合位置から退避させることが可能であるとよい。この構成によれば、制御ボディに対する弁体の取り付け及び取り外しがいずれも手作業で簡単に行えるようになる。したがって、制御ボディの組立の効率化に加え、メンテナンスなどの容易化を図ることができる。
なお、上記の括弧内の符号は、後述する実施形態における対応する構成要素の符号を本発明の一例として示したものである。
【発明の効果】
【００１７】
本発明にかかる弁体の取付構造によれば、部品点数を少なく抑えた簡単な構造で、弁体の取付作業の効率化を図ることができると共に、装置の軽量化及びコンパクト化を図ることができる。
【図面の簡単な説明】
【００１８】
【図１】本発明の第１実施形態にかかる弁体の取付構造を示す図で、（ａ）は、制御ボディ及びソレノイド弁の平面図、（ｂ）は、（ａ）のＡ−Ａ矢視断面図である。
【図２】ソレノイド弁の取付手順を説明するための図で、（ａ）は、係合機構の爪部が溝部に係合する前の状態を示す図、（ｂ）は、爪部が溝部に係合した状態を示す図である。
【図３】本発明の第２実施形態にかかる弁体の取付構造を示す図である。
【図４】本発明の第３実施形態にかかる弁体の取付構造を示す図である。
【図５】第３実施形態にかかる取付構造を用いたソレノイド弁の取り付け及び取り外しの手順を説明するための図で、（ａ）は、取り付けの手順を説明するための図、（ｂ）は、取り外しの手順を説明するための図である。
【図６】本発明の第４実施形態にかかる弁体の取付構造を示す図で、（ａ）は、制御ボディ及びソレノイド弁の平面図、（ｂ）は、（ａ）のＢ−Ｂ矢視断面図である。
【図７】第４実施形態にかかる弁体の取付構造の他の構成例を示す図である。
【図８】本発明の第５実施形態にかかる弁体の取付構造を示す図で、（ａ）は、制御ボディ及びソレノイド弁の平面図、（ｂ）は、（ａ）のＣ−Ｃ矢視断面図である。
【発明を実施するための形態】
【００１９】
以下、添付図面を参照して本発明の実施形態を詳細に説明する。
〔第１実施形態〕
図１は、本発明の第１実施形態にかかる弁体の取付構造を示す図で、（ａ）は、制御ボディ１０及びソレノイド弁（弁体）３０の平面図、（ｂ）は、（ａ）のＡ−Ａ矢視に対応する断面図である。なお、（ｂ）の断面図では、制御ボディ１０及びソレノイド弁３０の内部構造は図示を省略している。また、（ａ）は、ソレノイド弁３０を制御ボディ１０に取り付ける前の状態を示しており、（ｂ）は、ソレノイド弁３０を制御ボディ１０に取り付けた状態を図示している。本実施形態にかかる弁体の取付構造は、車両用の自動変速機が備える油圧制御回路を有する制御ボディ１０にソレノイド弁３０を取り付けるための取付構造である。
【００２０】
図１に示すように、ソレノイド弁３０は、互いに同軸上に設けた弁部３０ａと本体部（ソレノイド部）３０ｂとを備えて構成されている。弁部３０ａは、略円形の断面を有する軸状に形成されており、本体部３０ｂは、弁部３０ａの軸方向の端部に連接された弁部３０ａよりも大きい径寸法の円柱状に形成されている。なお、以下の説明では、単に軸方向というときは、制御ボディ１０に取り付けたソレノイド弁３０の軸方向を示すものとする。また、上下、横、水平というときは、各図に示す状態での上下、横、水平向きを示すものとする。
【００２１】
円柱状の本体部３０ｂの外周面３１には、コネクタハウジング３２が設置されている。コネクタハウジング３２は、配線接続用のコネクタ（メスコネクタ）を構成する部品であり、略直方体状の中空の箱型に形成された弾性を有する合成樹脂製の成型品である。コネクタハウジング３２は、軸方向の一端（弁部３０ａと反対側の端部）に開口３２ｂを有しており、該開口３２ｂからオスコネクタ（図示せず）を差し込んで、内部に設置した正極端子３３に接続するようになっている。
【００２２】
制御ボディ１０は、変速制御用の油圧制御回路を内蔵したハウジングであり、全体形状の図示は省略するが、外形が薄型の直方体状などの箱型に形成されている。制御ボディ１０の一側面は、ソレノイド弁３０を取り付けるための取付面１１になっている。取付面１１には、ソレノイド弁３０の弁部３０ａを挿入させるための挿入孔１２が開口している。挿入孔１２は、取付面１１に複数個（図では３個）が形成されている。各挿入孔１２は、その軸方向が互いに平行に延びる円筒状の貫通穴として形成されており、ソレノイド弁３０の弁部３０ａを軸方向に差し込んで挿入するようになっている。
【００２３】
また、制御ボディ１０の取付面１１の上端には、板状の突起からなる突出部１５が突出形成されている。突出部１５は、取付面１１における挿入孔１２の上方から横向き（水平方向）に突出して軸方向に延びる平板状の部分である。突出部１５は、ソレノイド弁３０を制御ボディ１０に取り付けた状態で、本体部３０ｂの外周面３１に対向する位置に延在している。
【００２４】
そして、ソレノイド弁３０と制御ボディ１０には、制御ボディ１０に対してソレノイド弁３０を固定するための係合機構５０が設置されている。係合機構５０は、ソレノイド弁３０に設けた爪部３５と、制御ボディ１０に設けた溝部２５とからなる。爪部３５は、ソレノイド弁３０のコネクタハウジング３２の外面（本体部３０ｂに対して外径側を向く面）３２ａに形成した突起状の爪片である。この爪部３５は、軸方向の一方の側面が垂直面であり、他方の側面が傾斜面になっている。一方、溝部２５は、制御ボディ１０の突出部１５に設けた略矩形状の貫通穴からなる。溝部２５は、爪部３５を没入させることが可能な寸法及び形状に形成されている。これら溝部２５と爪部３５は、ソレノイド弁３０の弁部３０ａを制御ボディ１０の挿入孔１２に奥まで差し込んだ状態で、爪部３５が溝部２５に対向する位置に配置されるように形成されている。
【００２５】
上記構成の取付構造でソレノイド弁３０を制御ボディ１０に取り付ける手順を説明する。図２は、ソレノイド弁３０の取付手順を説明するための図で、（ａ）は、爪部３５が溝部２５に係合する前の状態を示す図、（ｂ）は、爪部３５が溝部２５に係合した状態を示す図である。ソレノイド弁３０を制御ボディ１０に取り付けるには、まず、図２（ａ）に示すように、ソレノイド弁３０の弁部３０ａを取付面１１の挿入孔１２に差し込む。弁部３０ａが挿入孔１２に差し込まれた状態で、ソレノイド弁３０を軸方向に沿ってさらに左側に移動させることで、弁部３０ａを挿入孔１２に深く挿入してゆく。このとき、ソレノイド弁３０が移動することで、ソレノイド弁３０の爪部３５が制御ボディ１０の突出部１５に接触するが、さらにソレノイド弁３０を軸方向に移動させると、爪部３５を支持するコネクタハウジング３２が弾性的に変形することで、突出部１５で押された爪部３５が突出部１５の下面側に入り込む。こうして、図２（ｂ）に示すように、爪部３５が溝部２５の手前側の突出部１５を乗り越えて、溝部２５に弾性係合（スナップイン係合）する。この状態で、本体部３０ｂの軸方向の端面３４が制御ボディ１０の取付面１１に当接することで、ソレノイド弁３０の軸方向の移動が規制された状態となる。したがって、ソレノイド弁３０が制御ボディ１０に固定される。以上により、制御ボディ１０に対するソレノイド弁３０の取り付けが完了する。なお、制御ボディ１０からソレノイド弁３０を取り外すには、溝部３５に工具などを差し込んで爪部２５を押圧することで、溝部３５に対する爪部２５の係合を解除すればよい。
【００２６】
本実施形態の弁体の取付構造では、係合機構５０の爪部３５が溝部２５に弾性係合してソレノイド弁３０が固定されるようにした。したがって、制御ボディ１０に対するソレノイド弁３０の固定を簡単な作業で行えるようになる。これにより、ソレノイド弁３０の取付作業の効率化を図ることができる。また、ソレノイド弁３０に設けた爪部３５と制御ボディ１０に設けた溝部２５とが弾性的に係合する構成を採用したことで、ソレノイド弁３０の固定に工具が不要となるので、ソレノイド弁３０の取り付けを手作業で行うことが可能となる。
【００２７】
また、本実施形態の取付構造が備える係合機構５０は、ソレノイド弁３０のコネクタハウジング３２に設けた爪部３５と制御ボディ１０に設けた溝部２５とが弾性的に係合する構造であるため、部品点数を少なく抑えた簡単な構成を実現できる。さらに、ソレノイド弁３０に設けた爪部３５は、ソレノイド弁３０に従来から備わっている配線接続用のコネクタが有するコネクタハウジング３２に形成しているので、特許文献１，２に示す従来構造のようなステイやボルトなどの別部品が不要となる。したがって、部品点数を抑えた簡単な構成とすることができる。
【００２８】
〔第２実施形態〕
次に、本発明の第２実施形態について説明する。なお、第２実施形態の説明及び対応する図面においては、第１実施形態と同一又は相当する構成部分には同一の符号を付し、以下ではその部分の詳細な説明は省略する。また、以下で説明する事項以外の事項については、第１実施形態と同じである。この点は、他の実施形態においても同様である。
【００２９】
図３は、本発明の第２実施形態にかかる弁体の取付構造を示す図である。本実施形態の取付構造は、第１実施形態の取付構造と比較して、溝部２５を設けた突出部１５の構造が異なっている。それ以外は同一の構成である。すなわち、本実施形態の取付構造では、制御ボディ１０に平板状のプレート１６を取り付けている。プレート１６は、金属材料などで構成された板状部材であり、制御ボディ１０の上面１３にボルト１７の締結で固定されている。プレート１６は、その一部が突出部１５として制御ボディ１０の取付面１１から水平方向に突出している。プレート１６の突出部１５には、係合機構５０の溝部２５が設けられている。突出部１５及び溝部２５の配置及び形状は、第１実施形態の突出部１５及び溝部２５と同じである。
【００３０】
本実施形態の取付構造においても、係合機構５０の爪部３５が溝部２５に弾性係合して制御ボディ１０に対するソレノイド弁３０の固定がなされる。したがって、制御ボディ１０に対するソレノイド弁３０の固定を簡単な作業で行えるようになる。これにより、ソレノイド弁３０の取付作業の効率化を図ることができる。また、ソレノイド弁３０に設けた爪部３５と制御ボディ１０に設けた溝部２５とが弾性的に係合する構造であるため、ソレノイド弁３０の固定に工具を必要とせず、ソレノイド弁３０の取付作業を手作業で行うことが可能となる。
【００３１】
また、本実施形態の取付構造では、制御ボディ１０に取り付けたプレート１６を用いてソレノイド弁３０を固定するための係合機構５０を構成している。そして、このプレート１６は、必ずしもソレノイド弁３０の固定に用いるための専用部品である必要はなく、他の目的で設置した部品にソレノイド弁３０の固定用の溝部２５を形成したものでよい。したがって、部品を共用することで、取付構造の部品点数を少なく抑えて構成の簡素化を図ることができるので、製品の低コスト化を図ることができる。
【００３２】
なお、本実施形態では、プレート１６の本来の用途では、制御ボディ１０の取付面１１からプレート１６の一部を突出させる必要が無い場合でも、ソレノイド弁３０の固定用にプレート１６を延長して、その一部を取付面１１から突出させて突出部１５を設けることで、当該突出部１５に係合機構５０の溝部２５を形成することが可能である。
【００３３】
〔第３実施形態〕
次に、本発明の第３実施形態について説明する。図４は、本発明の第３実施形態にかかる弁体の取付構造を示す図である。第３実施形態の取付構造は、第１実施形態の取付構造と比較して、ソレノイド弁３０のコネクタハウジング３２に形成した爪部３５及びその周辺の構成が若干異なっている。他の構成は、第１実施形態と同じである。すなわち、本実施形態の爪部３５は、コネクタハウジング３２の外面３２ａから突出して軸方向に延びる支持片２１の先端に設けられている。支持片２１及び爪部３５は、合成樹脂製のコネクタハウジング３２に一体成型されている。支持片２１は、コネクタハウジング３２の外面３２ａにおける軸方向の一端側から突出して、その先が略直角に折れ曲がっており、さらにその先が軸方向に沿って弁部３０ａ側に延びている。爪部３５は、第１実施形態の爪部３５と同じ形状であり、その一方の側面が垂直面になっており、他方の側面が傾斜面になっている。支持片２１は、可撓性を有しており、根元部２１ａが押圧されると先端側（爪部３５側）がソレノイド弁３０の内径側（図に示す下側）に向かって撓むようになっている。
【００３４】
図５は、本実施形態の取付構造によるソレノイド弁３０の取り付け手順及び取り外し手順を説明するための図で、同図（ａ）は、ソレノイド弁３０の取り付け手順を説明するための図、同図（ｂ）は、取り外し手順を説明するための図である。まず、ソレノイド弁３０の取り付け手順について説明する。本実施形態においても、ソレノイド弁３０を制御ボディ１０に取り付けるには、ソレノイド弁３０の弁部３０ａを取付面１１の挿入孔１２に差し込む。弁部３０ａが挿入孔１２に差し込まれた状態で、ソレノイド弁３０を軸方向に沿って移動させることで、弁部３０ａを挿入孔１２に挿入してゆく。この途中で、図５（ａ）に示すように、ソレノイド弁３０の爪部３５が制御ボディ１０の突出部１５に接触するが、そのままさらにソレノイド弁３０を軸方向に移動させると、同図の点線に示すように、支持片２１が弾性変形して、爪部３５が突出部１５の下面側に入り込む。こうして、爪部３５が溝部２５の手前側の突出部１５を乗り越えて溝部２５に弾性係合する。
【００３５】
次に、ソレノイド弁３０の取り外し手順について説明する。本実施形態の取付構造では、図４に示すように、爪部３５が溝部２５に係合している状態で、支持片２１の根元部２１ａが突出部１５で覆われずに露出するようになっている。そして、爪部３５が溝部２５に係合している状態で、図５（ｂ）の矢印Ｘに示すように、支持片２１の根元部２１ａを外方から手あるいは工具で押圧する。これにより、支持片２１が弾性変形することで、爪部３５が突出部１５から離れる方へ移動して溝部２５に対する爪部３５の係合が外れる。その状態でソレノイド弁３０を軸方向の右側にスライド移動させて弁部３０ａを挿入孔１２から引き抜くことで、ソレノイド弁３０を制御ボディ１０から取り外すことができる。
【００３６】
なお、上記の取り付け手順では、図５（ａ）に示すように、爪部３５が突出部１５に当接して押圧されることで支持片２１が撓む場合を説明したが、これ以外にも、取り外し手順と同様に、取り付け手順においても支持片２１の根元部２１ａを押圧して支持片２１を撓ませながら、爪部３５を溝部２５に係合させるようにすることも可能である。
【００３７】
本実施形態の弁体の取付構造では、爪部３５は、可撓性を有する支持片２１で支持されており、該支持片２１を押圧して撓ませることで、爪部３５を溝部２５内の係合位置から退避させることが可能である。これにより、制御ボディ１０に対するソレノイド弁３０の取り付け及び取り外しがいずれも手作業で簡単に行えるようになるので、制御ボディ１０の組立の効率化に加え、メンテナンスの容易化を図ることができる。
【００３８】
〔第４実施形態〕
次に、本発明の第４実施形態について説明する。図６は、本発明の第４実施形態にかかる弁体の取付構造を示す図で、（ａ）は、制御ボディ１０及びソレノイド弁３０の平面図、（ｂ）は、（ａ）のＢ−Ｂ矢視に対応する断面図である。本実施形態の取付構造は、第２実施形態の取付構造が備えていたプレート１６に代えて、導電性材料で形成されたアースプレート１８を備えている。アースプレート１８は、両端がボルト１９で制御ボディ１０の上面１３に固定されている。また、ソレノイド弁３０が有するコネクタハウジング３２の外側には、アース用接続端子（ＧＮＤ端子）３６が設置されている。
【００３９】
アース用接続端子３６は、コネクタハウジング３２の軸方向における一方の端面から突出して軸方向に延びている。一方、アースプレート１８の制御ボディ１０側の端部は、略コ字型の断面を有するように折り曲げられた屈曲部２３になっている。アース用接続端子３６は、屈曲部２３内の上下面２３ａ，２３ｂの間に差し込まれるようになっている。屈曲部２３の下面２３ｂには、小突起状の接触部２４が形成されている。アース用接続端子３６は、屈曲部２３内で接触部２４に接触するようになっている。これにより、アース用接続端子３６がアースプレート１８に接触してソレノイド弁３０のアース接続がなされる。
【００４０】
本実施形態の取付構造では、係合機構５０の爪部３５が溝部２５に係合して制御ボディ１０に対するソレノイド弁３０の固定がなされる際、アース用接続端子３６がアースプレート１８の屈曲部２３（上下面２３ａ，２３ｂの間）に差し込まれて接触部２４に接触するようになっている。これにより、爪部３５を溝部２５に係合させてソレノイド弁３０を取り付けるだけで、ソレノイド弁３０のアース接続を行うことができる。したがって、従来、ソレノイド弁３０用に設けていたアース線が不要となるので、ソレノイド弁３０への配線作業の作業性が向上する。また、アース線が不要になることで、コスト削減を図ることができる。
【００４１】
図７は、本実施形態にかかる取付構造の他の構成例を示す図である。同図に示す構成例では、図６に示す構成例と比較して、アースプレート１８が有する屈曲部２３の上下面２３ａ，２３ｂの間隔が狭くなっている。これにより、アース用接続端子３６は、屈曲部２３の上面２３ａとそれに対向する下面２３ｂの接触部２４との間に挟み込まれてアースプレート１８に接続される。図７に示す構成によれば、アース用接続端子３６が屈曲部２３の上下面２３ａ，２３ｂで挟持されるので、アース用接続端子３６をアースプレート１８に対して確実に接続することが可能となる。
【００４２】
〔第５実施形態〕
次に、本発明の第５実施形態について説明する。図８は、本発明の第５実施形態にかかる弁体の取付構造を示す図で、（ａ）は、制御ボディ１０及びソレノイド弁３０の平面図、（ｂ）は、（ａ）のＣ−Ｃ矢視に対応する断面図である。本実施形態の取付構造は、制御ボディ１０内の油路（図示せず）を区画するためのセパレートプレート１４を備えている。そして、このセパレートプレート１４にソレノイド弁３０を固定するための溝部２５を形成している。すなわち、本実施形態では、上下に積層された複数の制御ボディ１０の間に挟みこまれたセパレートプレート１４の一部を突出部１５として制御ボディ１０の取付面１１から水平方向に突出させている。そして、この突出部１５に設けた溝部２５にソレノイド弁３０の爪部３５を係合させるように構成している。
【００４３】
本実施形態では、制御ボディ１０内の油路を区画するためのセパレートプレート１４を用いてソレノイド弁３０を制御ボディ１０に固定するための係合機構５０を設けている。したがって、部品の共通化によって、ソレノイド弁３０の取付構造に必要な部品点数を少なく抑えることができ、構成の簡素化を図ることができる。
【００４４】
以上、本発明の実施形態を説明したが、本発明は上記実施形態に限定されるものではなく、特許請求の範囲、及び明細書と図面に記載された技術的思想の範囲内において種々の変形が可能である。例えば、上記実施形態に示す係合機構５０が備える爪部３５と溝部２５の具体的な形状や配置、及び突出部１５の具体的な構成はいずれも一例であり、これらは、他の形状や配置であってもよい。また、本発明にかかる取付構造が備えるプレートは、上記実施形態に示す接地用のアースプレート１８や油路区画用のセパレートプレート１４には限らず、他の目的で設置されたプレートであってもよい。
【符号の説明】
【００４５】
１０  制御ボディ
１１  取付面
１２  挿入孔
１４  セパレートプレート
１５  突出部
１６  プレート
１８  アースプレート
１９  ボルト
２１  弾性片
２１ａ  根元部
２３  屈曲部
２３ａ  上面
２３ｂ  下面
２４  接触部
２５  溝部（係合機構）
３０  ソレノイド弁（弁体）
３０ａ  弁部
３０ｂ  ソレノイド部（本体部）
３１  外周面
３２  コネクタハウジング
３２ａ  外面
３２ｂ  開口
３３  正極端子
３４  端面
３５  爪部（係合機構）
３６  アース接続端子
５０  係合機構
【図１】
0005528853.tif 000002
【図２】
0005528853.tif 000003
【図３】
0005528853.tif 000004
【図４】
0005528853.tif 000005
【図５】
0005528853.tif 000006
【図６】
0005528853.tif 000007
【図７】
0005528853.tif 000008
【図８】
0005528853.tif 000009